(57)【要約】【課題】固定金具の先端部の幅を小さくし、また、電子機器筐体を１８０°以上に回動させて固定することが容易にできる電子機器の取付構造を提供する。【解決手段】電子機器１を挟むコ字形の固定金具２に設けられた第１のねじ挿通穴２ｂを挿通するねじ４を電子機器の側面に設けられたねじ穴１ａにねじ込んで電子機器１を固定金具２に締着する電子機器の取付構造において、固定金具２の電子機器側面に対向する面と反対側の面に凹部２ａを設け、凹部２ａと対応する外周を有し凹部２ａにはめ込まれる位置決め部材３にねじ４を挿通させる第２のねじ挿通穴３ａとそれから等間隔に配置される少なくとも１つの突起３ｂを設け、突起３ｂを固定金具２に設けられた穴２ｃを挿通させ電子機器のねじ穴１ａの周囲に等間隔ピッチに設けられた凹み１ｂ、１ｂと選択的に嵌合させる。【選択図】        図１
2004327661.tif 000002
【特許請求の範囲】
【請求項１】
電子機器を挟むコ字形の固定金具に設けられた第１のねじ挿通穴を挿通するねじを電子機器の側面に設けられたねじ穴にねじ込んで電子機器を前記固定金具に締着する電子機器の取付構造において、前記固定金具の電子機器側面に対向する面と反対側の面に凹部を設け、前記凹部と対応する外周を有し前記凹部にはめ込まれる位置決め部材に前記ねじを挿通させる第２のねじ挿通穴とそれから等間隔に配置される少なくとも１つの突起を設け、前記突起を前記固定金具に設けられた穴を挿通させ前記電子機器のねじ穴の周囲に等間隔ピッチに設けられた凹みと選択的に嵌合させることを特徴とする電子機器の取付構造。
【請求項２】
前記固定金具の凹部を非円形とした請求項１の電子機器の取付構造。
【請求項３】
電子機器を挟むコ字形の固定金具に設けられたねじ挿通穴を挿通するねじを電子機器の側面に設けられたねじ穴にねじ込んで電子機器を前記固定金具に締着する電子機器の取付構造において、前記固定金具の電子機器側面に対向する面に前記ねじ挿通穴を中心とする同一形状が等間隔ピッチで連なる外周形状の凸部または凹部を設け、電子機器の前記ねじ穴の周囲に設けられ前記凸部または凹部と対応する外周を有する凹部または凸部に前記凸部または凹部を嵌合させることを特徴とする電子機器の取付構造。
【請求項４】
前記固定金具の凸部または凹部を正多角形形状とした請求項３の電子機器の取付構造。
【請求項５】
電子機器を挟むコ字形の固定金具に設けられたねじ挿通穴を挿通するねじを電子機器の側面に設けられたねじ穴にねじ込んで電子機器を前記固定金具に締着する電子機器の取付構造において、前記ねじのねじ部基端部に円錐形状部を形成し、前記ねじ挿通穴の直径を前記円錐形状部の最大径より小さくすると共に前記ねじのねじ部を入り込ませる第１の凹みを設け、固定金具の外周部に前記ねじ挿通穴の前記第１の凹みと同一放射線状の位置に突起を設け、前記電子機器の側面に前記ねじ穴を中心とする円周上に等間隔ピッチに第２の凹みを設け、前記ねじ穴にねじ込まれたねじを前記第１の凹みに入り込ませた状態で電子機器を回転させて前記突起と嵌合させる前記第２の凹みを選択し、その状態において前記ねじをねじ込み前記円錐形状部が前記ねじ挿通穴の縁を押し前記ねじの位置を前記ねじ挿通穴の中心位置とすることで前記選択された第２の凹みに前記突起を嵌合させることを特徴とする電子機器の取付構造。
【発明の詳細な説明】
【０００１】
【発明の属する技術分野】
この発明は電子機器の取付構造に係わり、特に、電子機器の姿勢を変えることが可能な電子機器の取付構造に関する。
【０００２】
【従来の技術】
実用新案登録公報第２５２９０１０号公報に提案された電子機器の取付構造の例を図９および図１０により説明する。図９に示す電子機器筐体１の側面に立設された突出軸１ｇはコ字形の固定金具２の支点穴２ｊに嵌合している。固定金具２には支点穴２ｊを中心とする円弧状に延びる連鎖瓢箪形状穴２ｋが形成されている。
【０００３】
電子機器筐体１の側面に突出軸１ｇから前記連鎖瓢箪形状穴２ｋのピッチ円半径の距離にねじ穴１ａが設けられている。ねじ穴１ａにねじ込まれるねじ４の基端部には円錐形状部４ａが形成されている。円錐形状部４ａの最大径は連鎖瓢箪形状穴２ｋの部分円弧の直径より大きい。
【０００４】
ねじ４を緩めた状態で電子機器筐体１を突出軸１ｇ回りの任意の位置に回動させてねじ４を締め付けるとねじ４の円錐形状部４ａは連鎖瓢箪形状穴２ｋの部分円弧を押し付けて電子機器筐体１は固定金具２に傾斜角度が調整された状態で固定される。
【０００５】
【特許文献１】
実用新案登録公報第２５２９０１０号（第３頁、図１、図２）
【０００６】
【発明が解決しようとする課題】
上記した従来の実用新案登録公報第２５２９０１０号公報に提案された電子機器の取付構造では、固定金具２の支点穴２ｊを中心とする円弧上に連鎖瓢箪形状穴２ｋを設けなければならず固定金具２の先端部の幅を大きくしなければならないという問題があった。
【０００７】
また、固定金具２を電子機器筐体１から取り外して付け替えないと、電子機器筐体１を１８０°以上に回転させて固定することは困難であった。
【０００８】
この発明は上記した点に鑑みてなされたものであって、その目的とするところは、固定金具の先端部の幅を小さくし、また、電子機器筐体を１８０°以上に回動させて固定することが容易にできる電子機器の取付構造を提供することにある。
【０００９】
【課題を解決するための手段】
この発明の電子機器の取付構造は、電子機器を挟むコ字形の固定金具に設けられた第１のねじ挿通穴を挿通するねじを電子機器の側面に設けられたねじ穴にねじ込んで電子機器を前記固定金具に締着する電子機器の取付構造において、前記固定金具の電子機器側面に対向する面と反対側の面に凹部を設け、前記凹部と対応する外周を有し前記凹部にはめ込まれる位置決め部材に前記ねじを挿通させる第２のねじ挿通穴とそれから等間隔に配置される少なくとも１つの突起を設け、前記突起を前記固定金具に設けられた穴を挿通させ前記電子機器のねじ穴の周囲に等間隔ピッチに設けられた凹みと選択的に嵌合させるものである。
【００１０】
また、前記電子機器の取付構造において、前記固定金具の凹部を非円形としたものである。
【００１１】
また、この発明の電子機器の取付構造は、電子機器を挟むコ字形の固定金具に設けられたねじ挿通穴を挿通するねじを電子機器の側面に設けられたねじ穴にねじ込んで電子機器を前記固定金具に締着する電子機器の取付構造において、前記固定金具の電子機器側面に対向する面に前記ねじ挿通穴を中心とする同一形状が等間隔ピッチで連なる外周形状の凸部または凹部を設け、電子機器の前記ねじ穴の周囲に設けられ前記凸部または凹部と対応する外周を有する凹部または凸部に前記凸部または凹部を嵌合させるものである。
【００１２】
また、前記電子機器の取付構造において、前記固定金具の凸部または凹部を正多角形形状としたものである。
【００１３】
また、この発明の電子機器の取付構造は、電子機器を挟むコ字形の固定金具に設けられたねじ挿通穴を挿通するねじを電子機器の側面に設けられたねじ穴にねじ込んで電子機器を前記固定金具に締着する電子機器の取付構造において、前記ねじのねじ部基端部に円錐形状部を形成し、前記ねじ挿通穴の直径を前記円錐形状部の最大径より小さくすると共に前記ねじのねじ部を入り込ませる第１の凹みを設け、固定金具の外周部に前記ねじ挿通穴の前記第１の凹みと同一放射線状の位置に突起を設け、前記電子機器の側面に前記ねじ穴を中心とする円周上に等間隔ピッチに第２の凹みを設け、前記ねじ穴にねじ込まれたねじを前記第１の凹みに入り込ませた状態で電子機器を回転させて前記突起と嵌合させる前記第２の凹みを選択し、その状態において前記ねじをねじ込み前記円錐形状部が前記ねじ挿通穴の縁を押し前記ねじの位置を前記ねじ挿通穴の中心位置とすることで前記選択された第２の凹みに前記突起を嵌合させるものである。
【００１４】
【発明の実施の形態】
この発明の実施例である電子機器の取付構造を図面に基づいて説明する。図１（ａ）はこの発明の第１の実施例である電子機器の取付構造を示す分解斜視図、図１（ｂ）は同取付構造を示す断面図である。
【００１５】
図１に示す電子機器筐体１の側面に設けられた設けられたねじ穴１ａにはコ字形の固定金具２のねじ挿通穴２ｂと固定金具２の非円形の凹部２ａに嵌まり込む外周が同形状の位置決め部材３のねじ挿通穴３ａを挿通するねじ４がねじ込まれ電子機器筐体１は固定金具２に締着される。なお、固定金具２は左右対称形状であり、電子機器筐体１は２本のねじ４、４により固定金具２に締着される。以下に述べる他の実施例も同様である。
【００１６】
このとき図１（ｂ）に示すように、位置決め部材３に設けられた突起３ｂ、３ｂ（図１では一方のみ見えている）は固定金具２の突起挿通穴２ｃ、２ｃを挿通して電子機器筐体１の凹み１ｂ、１ｂに嵌まり込み電子機器筐体１を所定の傾斜角度に固定する。
【００１７】
凹み１ｂ、１ｂは同一円周上に等間隔ピッチに設けられており、突起３ｂ、３ｂは対応する円周上に１８０°間隔に配置されているため、突起３ｂ、３ｂが嵌まる凹み１ｂ、１ｂ…を選択することにより電子機器筐体１が固定される傾斜角を設定することができる。
【００１８】
すなわち、ねじ４を緩めると、固定金具２の弾力により固定金具２が電子機器筐体１の側面から僅かに離れ突起３ｂ、３ｂが凹み１ｂ、１ｂから抜ける。その状態で電子機器筐体１を所望の傾斜角に設定してねじ４を締め付けると電子機器筐体１を所望の傾斜角に固定することができる。このように電子機器筐体１を３６０°の範囲で傾斜角を設定することができる。
【００１９】
また、固定金具２には従来例に示した連鎖瓢箪形状穴が設けられていないのでその先端部の幅を大きくしなくてもよい。位置決め部材３は円形でもよいが、非円形とすることにより固定金具２に強固に固定することができる。
【００２０】
図２（ａ）はこの発明の第２の実施例である電子機器の取付構造を示す分解斜視図、図２（ｂ）は同取付構造を示す断面図である。図２（ａ）に示す電子機器筐体１の側面に設けられた設けられたねじ穴１ａにはコ字形の固定金具２のねじ挿通穴２ｂを挿通するねじ４がねじ込まれ電子機器筐体１は固定金具２に締着される。
【００２１】
このとき図２（ｂ）に示すように、固定金具２に設けられた正六角形凸部２ｄは電子機器筐体１の対応する正六角形凹部１ｃに嵌まり込み電子機器筐体１を所定の傾斜角度に固定する。すなわち、電子機器筐体１は６０°の間隔で傾斜角を設定することができる。
【００２２】
すなわち、ねじ４を緩めると、固定金具２の弾力により固定金具２が電子機器筐体１の側面から僅かに離れ正六角形凸部２ｄが正六角形凹部１ｃから抜け、その状態で電子機器筐体１を所望の傾斜角に設定してねじ４を締め付けると電子機器筐体１を所望の傾斜角に固定することができる。このように電子機器筐体１を３６０°の範囲で傾斜角を設定することができる。また、固定金具２には従来例に示した連鎖瓢箪形状穴が設けられていないのでその先端部の幅を大きくしなくてもよい。
【００２３】
図３はこの発明の第３の実施例である電子機器の取付構造を示す分解斜視図である。この例では電子機器筐体１に正八角形凹部１ｄが設けられている。また、固定金具２には対応する外周形状の正八角形凸部２ｅが設けられている。他の構成は第１の実施例と同様である。この例では４５°の間隔で傾斜角を設定することができる。
【００２４】
図４はこの発明の第４の実施例である電子機器の取付構造を示す分解斜視図、図５（ａ）は同取付構造の部分を示す断面図、図５（ｂ）は同部分の他の状態を示す断面図、図６（ａ）は図５（ａ）におけるＡ−Ａ矢視図、図６（ｂ）は図５（ｂ）におけるＢ−Ｂ矢視図、図７は同取付構造の各状態を示す部分側面図である。
【００２５】
図４に示す電子機器筐体１の側面に設けられた設けられたねじ穴１ａ（図５に示す）にはコ字形の固定金具２のねじ挿通穴２ｂを挿通するねじ４がねじ込まれ電子機器筐体１は固定金具２に締着される。
【００２６】
このとき、固定金具２の突起２ｇは電子機器筐体１の第２の凹み１ｅに嵌まり込み電子機器筐体１を所定の傾斜角度に固定する。第２の凹み１ｅはねじ穴１ａを中心とする円周上に多数の凹みが連なるように花びら状に形成されている。
【００２７】
固定金具２の突起２ｇは選択された第２の凹み１ｅに嵌まり込むようにして電子機器筐体１が固定される傾斜角を設定することができるがその状態を図５ないし図７により説明する。
【００２８】
図６（ａ）に示すように、固定金具２のねじ挿通穴２ｂは大部分が円形に形成されているが、その縁の一部に第１の凹み２ｆが形成されている。第２の凹み２ｆの幅ははねじ４のねじ部の直径より僅かに大きい。また、ねじ４の基端部には図５（ａ）に示すように円錐形状部４ａが形成されており、その最大径はねじ挿通穴２ｂの直径より大きい。
【００２９】
図５（ａ）および図６（ａ）に示すように円錐形状部４ａがねじ挿通穴２ｂから抜けるようにねじ４を緩めると、第２の凹み２ｆにねじ４のねじ部が嵌まるように固定金具２に対して電子機器筐体１をずらすことができる。
【００３０】
固定金具２の突起２ｇは第１の凹み２ｆに対して同一放射線上に配置されており、上記のように固定金具２に対して電子機器筐体１をずらした状態で突起２ｇは図５（ａ）および図６（ａ）に示すように第２の凹み１ｅから外れる。
【００３１】
その状態で電子機器筐体１を所望の傾斜角に設定してねじ４を締め付けるとねじ４の円錐形状部４ａがねじ挿通穴２ｂの中心位置となるように固定金具２に対して電子機器筐体１が移動して突起２ｇが図５（ｂ）および図６（ｂ）に示すように第２の凹み１ｅに嵌合し電子機器筐体１を所望の傾斜角に固定することができる。この固定状態では円錐形状部４ａがねじ挿通穴２ｂの縁を押圧しているので、電子機器筐体１は固定金具２に強固に固定される。
【００３２】
図７（ａ）は電子機器筐体１を固定金具２に対して水平状態に固定した状態示している。図７（ｂ）はねじ４を緩めて電子機器筐体１を固定金具２に対して移動させた状態を示している。図７（ｃ）は電子機器筐体１を固定金具２に対して傾斜させる状態を示している。図７（ｄ）は電子機器筐体１を傾斜させた状態で固定金具２に固定させた状態を示している。このように電子機器筐体１を３６０°の範囲で傾斜角を設定することができる。また、固定金具２には従来例に示した連鎖瓢箪形状穴が設けられていないのでその先端部の幅を大きくしなくてもよい。
【００３３】
図８はこの発明の第５の実施例である電子機器の取付構造を示す分解斜視図である。この例では第５の実施例におけるはなびら状に形成された第２の凹み１ｅ、１ｅが鋸歯状に形成された第２の凹み１ｆ、１ｆ…となっており、突起２ｇが三角形の２辺を形成する形状の突起２ｈとなっている。他の構成は第５の実施例と同様である。この例では突起２ｈをよりスムーズに第２の凹み１ｆに入り込ませることができる。
【００３４】
実施例は以上のように構成されているが発明はこれに限られず、例えば、電子機器筐体と固定金具に形成する凸部および凹部を正多角形以外の位置決め可能な非円形の形状とすることができる。また、電子機器筐体に凸部を形成し、固定金具に凹部を形成してもよい。
【００３５】
【発明の効果】
この発明の電子機器の取付構造によれば、固定金具の先端部の幅を小さくし、また、固定金具を付け替えることなく、固定ねじを緩めるだけで電子機器を３６０°の範囲にわたり目視で容易に傾斜角を設定することができる。
【００３６】
また、従来例のように、電子機器筐体に回転させるための突出軸が設けられていないので、突出軸の摩耗により耐用年数が短くなることもない。
【図面の簡単な説明】
【図１】図１（ａ）はこの発明の第１の実施例である電子機器の取付構造を示す分解斜視図、図１（ｂ）は同取付構造を示す断面図である。
【図２】図２（ａ）はこの発明の第２の実施例である電子機器の取付構造を示す分解斜視図、図２（ｂ）は同取付構造を示す断面図である。
【図３】この発明の第３の実施例である電子機器の取付構造を示す分解斜視図である。
【図４】この発明の第４の実施例である電子機器の取付構造を示す分解斜視図である。
【図５】図５（ａ）は同取付構造の部分を示す断面図、図５（ｂ）は同部分の他の状態を示す断面図である。
【図６】図６（ａ）は図５（ａ）におけるＡ−Ａ矢視図、図６（ｂ）は図５（ｂ）におけるＢ−Ｂ矢視図である。
【図７】同取付構造の各状態を示す部分側面図である。
【図８】この発明の第５の実施例である電子機器の取付構造を示す分解斜視図である。
【図９】従来の電子機器の取付構造の例を示す分解斜視図である。
【図１０】同電子機器の取付構造を示す部分断面図である。
【符号の説明】
１  電子機器筐体、１ａ  ねじ穴、１ｂ  凹み、１ｃ  正六角形凹部
１ｄ  正八角形凹部、１ｅ  第２の凹み、１ｆ  第２の凹み、１ｇ  突出軸
２  固定金具、２ａ  凹部、２ｂ  ねじ挿通穴、２ｃ  突起挿通穴
２ｄ  正六角形凸部、２ｅ  正八角形凸部、２ｆ  第１の凹み、２ｇ  突起
２ｈ  突起、２ｊ  支点穴、２ｋ  連鎖瓢箪形状穴
３  位置決め部材、３ａ  ねじ挿通穴、３ｂ  突起
４  ねじ、４ａ  円錐形状部
【図１】
2004327661.tif 000003
【図２】
2004327661.tif 000004
【図３】
2004327661.tif 000005
【図４】
2004327661.tif 000006
【図５】
2004327661.tif 000007
【図６】
2004327661.tif 000008
【図７】
2004327661.tif 000009
【図８】
2004327661.tif 000010
【図９】
2004327661.tif 000011
【図１０】
2004327661.tif 000012